(57)【特許請求の範囲】
【請求項１】
インクを収容するインク収容管と前記インク収容管の後端部に装着される尾栓とを備える筆記具用リフィールであって、
前記インク収容管は不透明の材料で形成され、前記尾栓は透明又は半透明の材料で形成され、未使用時において、前記尾栓の内部にも前記インクが収容されていることを特徴とする、筆記具用リフィール。
【請求項２】
前記尾栓には前記インク収容管の中空部と連通する貫通孔が形成され、前記尾栓にはさらに前記尾栓の径方向に貫通して前記貫通孔と連通する通気孔が形成されている、請求項１に記載の筆記具用リフィール。
【請求項３】
前記インク収容管が、収容されるインクと略同じ色で着色されている、請求項１又は２に記載の筆記具用リフィール。
【請求項４】
請求項１から３の何れか一項に記載の筆記具用リフィールを複数収容する筆記具。
【発明の詳細な説明】
【技術分野】
【０００１】
本発明は、筆記具用リフィール及び筆記具用リフィールを収容する筆記具に関する。
【背景技術】
【０００２】
ボールペン等の筆記具には、経済的、環境的な観点から替え芯用のリフィールが用いられる。特許文献１には、インク収容管の中間部から後方部に架けて印刷が施されており、その印刷にスリット状の非印刷部が設けられたリフィールが開示されている。特許文献２には、透明又は半透明の合成樹脂により構成されたインク収容管であって、その後端部外周面に印刷や塗装等により着色されたインク色表示（識別表示部）が形成されたインク収容管を有するリフィールが開示されている。しかしながら、透明又は半透明のインク収容管を用いた場合、インク収容管内部のインクが紫外線等の影響により変質する可能性があるという問題がある。
【０００３】
一方、特許文献３〜５には、インク収容管に金属製のチューブが用いられたボールペンのリフィールが開示されている。しかしながら、インク収容管が金属製である場合、インクの変質を防ぐことができるが、インク収容管の内部を視認できないので使用者はインクの色や未使用状態であるか否かを確認することができず、異なる色のリフィールや使用後のリフィールを誤って筆記具に取付けるという問題があった。
【０００４】
特許文献６には、ボールペンチップが前端に固着された透明樹脂製のペン先保持部材と、ペン先保持部材が前端に固着され且つ内部にインクが収容された金属製のインク収容管とを備える多芯筆記具用リフィールが開示されている。しかしながら、特許文献６に開示されたリフィールもペン先側のインクが変質する可能性があるという問題があった。
【先行技術文献】
【特許文献】
【０００５】
【特許文献１】特開２００７−３２０１１４号公報
【特許文献２】特許第５００６１５９号公報
【特許文献３】実開平０６−０８３３７９号公報
【特許文献４】実開平０７−０１５３７６号公報
【特許文献５】実公平０３−０４５３８６号公報
【特許文献６】特開２０１０−０６４３６５号公報
【発明の概要】
【発明が解決しようとする課題】
【０００６】
本発明は、インクの変質を防ぎつつ、未使用時においてインクが十分に充填されているかを確認可能な筆記具用リフィールを提供することを目的としている。
【課題を解決するための手段】
【０００７】
本発明によれば、インクを収容するインク収容管と前記インク収容管の後端部に装着される尾栓とを備える筆記具用リフィールであって、前記インク収容管は不透明の材料で形成され、前記尾栓は透明又は半透明の材料で形成されることを特徴とする、筆記具用リフィールが提供される。
【０００８】
また、本発明によれば、前記尾栓は前記インク収容管の中空部と連通する貫通孔が形成される、筆記具用リフィールが提供される。
【０００９】
また、本発明によれば、前記尾栓はさらに前記尾栓の径方向に貫通して前記貫通孔と連通する通気孔が形成される、筆記具用リフィールが提供される。
【００１０】
また、本発明によれば、前記インク収容管の軸線方向において、前記尾栓は前記尾栓の後端部から１０ｍｍ以上の長さを有する、筆記具用リフィールが提供される。
【００１１】
また、本発明によれば、前記インク収容管の不透明の材料は金属成分を含む、筆記具用リフィールが提供される。
【００１２】
また、本発明によれば、前記筆記具用リフィールを複数収容する筆記具が提供される。
【発明の効果】
【００１３】
本発明の筆記具用リフィールは、不透明の材料で形成されたインク収容管を備えるため、インクの変質を防ぐことができると共に、透明又は半透明の材料で形成された尾栓を、インク収容管の後端部に備えるため、尾栓の内部に収容されたインクを視認することでリフィールが未使用状態であるか否かを確認することができる。また、リフィールが未使用状態の場合はインクの色も尾栓で確認することができる。さらに、未使用時にインク収容管の後端部近くや尾栓の内部にあったインクは、筆記具が使用されインクが減少すると不透明なインク収容管内に入ることからインクが変質する可能性が減少する。
【図面の簡単な説明】
【００１４】
【図１】本発明の実施形態による筆記具用リフィールを示す図であり、図１（ａ）は斜視図、図１（ｂ）は平面図、図１（ｃ）は図１（ｂ）のＣ−Ｃ線に沿った断面図である。
【図２】筆記具用リフィールの尾栓を示す図であり、図２(ａ）は前方から見た斜視図、図２（ｂ）は後方から見た斜視図である。
【図３】筆記具用リフィールの尾栓を示す図であり、図３（ａ）は正面図、図３（ｂ）は平面図、図３（ｃ）は背面図、図３（ｄ）は図３（ｂ）のＥ−Ｅ線に沿った断面図である。
【図４】尾栓の別例を示す図である。
【図５】本発明の実施形態による筆記具用リフィールを複数本搭載した筆記具を示す図であり、図５（ａ）は平面図、図５（ｂ）は図５（ａ）のＢ−Ｂ線に沿った断面図である。
【発明を実施するための形態】
【００１５】
以下、添付図面を参照して本発明の実施形態について説明する。以下の実施形態において同一又は類似の構成要素には共通の参照符号を付して示し、理解を容易にするために、これら図面は縮尺を適宜変更している。また、本明細書において「先端」とは筆記具のペン先側を指し、「後端」とはその反対側を指すものとする。
【００１６】
本実施形態の筆記具用リフィールについて説明する。本実施形態の筆記具用リフィール１０は、図１（ａ）〜図１（ｃ）に示すように、インク１１を収容するインク収容管１４と、インク収容管１４の後端部１４ｂに装着された尾栓１６とを備える。インク収容管１４は、不透明の材料で形成された中空の部材でありインク１１が収容される（図１（ｃ）参照）。また、尾栓１６は透明又は半透明の材料で形成される。インク収容管１４の先端部１４ａには継手１５が取付けられ、さらに継手１５を介してチップ１２が取付けられる。チップ１２は例えば先端にボールを有するボールペン用のチップである。継手１５は省略されてよく、チップ１２がインク収容管１４の先端部１４ａに直接取付けられてもよい。
【００１７】
インク収容管１４に収容されるインク１１は、例えば水性ゲルインク、低粘度の水性インク、低粘度又は高粘度の油性インク等である。さらに、インク１１の後端にはインク１１の蒸発を防止し、インクの消耗と共にインク面に接触して追随して移動するグリース状のフォロワー１３（逆流防止体）が充填される。
【００１８】
本実施形態のインク収容管１４を形成する不透明の材料は金属（ステンレス鋼や真鍮等）で形成される。インク収容管１４を不透明の材料で形成することによりインク収容管１４に収容されたインク１１の変質を防止する。本実施形態のインク収容管１４は金属で形成されているが、不透明の材料は、例えばセラミックス、不透明なガラス、ガラスファイバー等であってもよい。また、金属粉末と樹脂との混合物で成形したものでもよい。また、インク収容管の不透明の材料は着色された樹脂であってもよく、着色はインク収容管に収容されるインクと略同じ色で行われても構わない。
【００１９】
尾栓１６は、図２及び図３に示すように筒状部材であり、インク収容管１４の中空部１４ｃと連通する貫通孔１８が形成される。そのため、インク収容管１４に尾栓１６を装着した後は、図１（ａ）〜図１（ｃ）に示すようにインク収容管１４だけでなく尾栓１６の一部にもインク１１を収容することができる。そのため、尾栓１６のインク１１を視認することで、筆記具用リフィールが未使用か否かを確認することができ、さらにインクの色も視認することができる。尾栓１６は、その先端部１６ａ及び後端部１６ｂにおいて共に開口しており、尾栓１６の後端部１６ｂからは後述するノック棒２１挿入して取付けることができる（図５参照）。なお、ノック棒を取付けない場合、尾栓１６の後端部１６ｂは閉じられてもよい。
【００２０】
尾栓１６の外径Ｄ１は、インク収容管１４の外径と略同じ大きさで形成される。また、尾栓１６は、その先端側においてインク収容管１４の後端部１４ｂに装着できるよう挿入部１７が形成される。挿入部１７は、外径Ｄ１より小さくかつインク収容管１４の内径に合わせた外径Ｄ２を有する。挿入部１７をインク収容管１４の後端部１４ｂに挿入して圧入固着することで、尾栓１６はインク収容管１４に装着される。
【００２１】
尾栓１６を形成する透明又は半透明の材料は、透明又は半透明の合成樹脂であり、例えばポリカーボネイト、ＡＢＳ樹脂、ポリエチレンテレフタレート、ポリプロピレン等が挙げられる。
【００２２】
尾栓１６をインク収容管１４に装着した状態で外部に露出する部分の、インク収容管１４の軸線方向Ａ（図１参照）の長さＬ１は、未使用時においてインク収容管１４や尾栓１６に収容されたインクの状態が確認できる程度の大きさであればよい。尾栓１６に収容されるインクの視認性を考慮すると、長さＬ１は尾栓１６の後端部１６ｂから１０ｍｍ以上あるのが望ましい。
【００２３】
図４に尾栓１６の別例を示す。図４に示す尾栓１６１は、図１〜図３に示す尾栓１６と同様、インク収容管１４の後端部１４ｂに装着されるものであり、透明又は半透明の材料で形成される。尾栓１６１には、その貫通孔１８を形成する壁部１９において、尾栓１６の径方向（図４のＥ方向）に貫通し、貫通孔１８と連通する通気孔２０が形成される。尾栓１６１の壁部１９に通気孔２０が形成されることで、ノック棒２１の取付け部２１ａを後端部１６１ｂに挿入する際、空気が通気孔２０から抜けることから、ノック棒２１の取付けが容易になる。尾栓１６１に通気孔２０を形成することで、例えばノック棒２１側に空気を通す溝等を形成する必要がなくなり、ノック棒２１と尾栓１６１との取付け力が向上し、延いてはノック棒２１の意匠性が向上する。なお、図４に示す尾栓１６１には、複数の通気孔２０が形成されているが、通気孔２０は１つでもよい。
【００２４】
図５に図１に示す筆記具用リフィール１０が複数収容された多芯の筆記具１を示す。筆記具１には３本の筆記具用リフィール１０が軸筒２の内部に収納される。筆記具用リフィール１０には、ノック棒２１が尾栓１６に取付けられ、使用者はノック棒２１を軸筒２の軸方向に前後させることで、使用する筆記具用リフィール１０を変更することができる。
【００２５】
以上、本実施形態による筆記具用リフィールについて、図を参照することにより説明した。
【符号の説明】
【００２６】
１    筆記具
２    軸筒
１０    筆記具用リフィール
１２    チップ
１３    フォロワー
１４    インク収容管
１４ａ    インク収容管の先端部
１４ｂ    インク収容管の後端部
１５    継手
１６、１６１    尾栓
１６ａ、１６１ａ    尾栓の先端部
１６ｂ、１６１ｂ    尾栓の後端部
１７    挿入部
１８    貫通孔
１９    壁部
２０    通気孔
２１    ノック棒
【図１】
0006523753.tif 000002
【図２】
0006523753.tif 000003
【図３】
0006523753.tif 000004
【図４】
0006523753.tif 000005
【図５】
0006523753.tif 000006